(57)【特許請求の範囲】
【請求項１】
封印面に転写可能な箔状の封印箔を備え、同封印箔には、封印面の開閉部分に跨る同封印箔の略中央部分を避けた他の部分に、文字の形状で同封印箔を抜いた文字抜きを形成したことを特徴とする封印紙。
【請求項２】
ベースフィルムの裏面に貼着した箔状の封印箔を封印面に転写して封印する封印紙であり、同ベースフィルムの裏面の一部に、溶液を塗布されたときに溶けて痕跡が残る塗膜部を塗布し、かつ同封印箔には塗膜部の形状に対応した切り欠きを形成したことを特徴とする封印紙。
【発明の詳細な説明】
【０００１】
【発明の属する技術分野】
本発明は、封印紙に関し、特に遊技機の基板ボックスなどに適用して好適な封印紙に関する。
【０００２】
【従来の技術】
従来、この種の技術として図１６に示す遊技機の基板ボックスに適用した封印紙が知られている。
同図において、基板ボックス１は略矩形皿形の上ケース２と下ケース３とを互いの開口面を合体せしめて形成され、内部に図示しない遊技機の制御を行う制御基板を格納している。かかる構成とした基板ボックス１には、裏面に接着剤を塗布された矩形状の封印紙４が上ケース２と下ケース３を跨ぐようにして貼着されている。
【０００３】
貼着された封印紙４を剥がそうとすると破れて痕跡が残るため、封印後は基板ボックス１を開けられず、これにより基板ボックス１内の不正改造を防止している。
【０００４】
【発明が解決しようとする課題】
上述した従来の封印紙においては、封印紙４にある種の溶剤と加熱とを適用すると痕跡を残さずに剥がせてしまい、再度貼り直してもわからないことがあった。
本発明は、上記課題をかんがみてなされたもので、封印紙を剥がそうとすると確実に何らかの痕跡を残すことが可能な封印紙の提供を目的とする。
【０００５】
【課題を解決するための手段】
上記目的を達成するため、封印面に転写可能な箔状の封印箔を備えた構成とすることができる。また、封印面に転写可能な箔状の封印箔を備え、同封印箔には、封印面の開閉部分に対応する部分を避けた他の部分に、文字の形状で同封印箔を抜いた文字抜きを形成した構成とすることができる。さらに、ベースフィルムの裏面に貼着した箔状の封印箔を封印面に転写して封印する封印紙であり、同ベースフィルムの裏面の一部に塗膜部を塗布し、かつ同封印箔には塗膜部の形状に対応した切り欠きを形成した構成とすることができる。
【０００６】
【作用】
上記構成においては、非常に薄い封印箔を封印面に転写させてあるため、封印部を開こうとすれば剥がれるのはいうに及ばず、転写されて張り付いているだけであるので剥がそうとすれば破れてしまい、封印紙を剥がした痕跡は確実に残る。
【０００７】
ここにおいて、痕跡としては、破れる場合のみならず、溶剤や熱によって溶けてしまったり変色してしまうなど、後で確認できるようなすべての状態を含むものである。
【０００８】
【発明の効果】
以上説明したように本発明は、封印紙を剥がそうとすれば確実に剥がした痕跡が残るため、より確実に封印することが可能な封印紙を提供することができる。
【０００９】
【発明の実施の形態】
以下、図面にもとづいて本発明の実施形態を説明する。
図１は、本発明の一実施形態にかかる封印紙を適用した遊技機の基板ボックスを斜視図により示している。
【００１０】
同図において、基板ボックス１０は略矩形皿状の上ケース２０と下ケース２１の開口面を対面させつつ合体せしめて形成されるとともに、内部に図示しない遊技機の制御基板を格納している。また、上ケース２０と下ケース２１のそれぞれの外壁には部分的に複数の放熱孔２２が形成され、後述する転写フィルム３１の貼付面を確保するために放熱孔２２を形成することなく平坦面を残している。なお、上ケース２０には帯状の凸部を形成するとともに下ケース２１には同凸部が入り込む切り欠き部を形成してあり、合体時に互いに入り込んで平坦面を形成しており、この部分に通常の管理番号を付与した封印２３を貼付してある。
【００１１】
本実施形態においては、基板ボックス１０を略矩形皿状の上ケース２０と下ケース２１にて形成しているが、開閉部分を有するものであればよい。従って、概ね箱形の主ケース部分に開閉可能な扉を付け、この扉の開閉部分を封印するようなものであっても構わない。また、合体部分や開閉部分は、直線部分でなくとも湾曲部分であるなど適宜変更可能である。
転写フィルム３１は、透明のベースフィルム３３の裏側に図２に示すような矩形状の封印箔３０を貼着せしめた後、粘着材を塗布せしめて構成されている。基板ボックス１０における上ケース２０と下ケース２１との当接部分を跨ぐようにしてこの転写フィルム３１を貼り付けた後、図３に示すように転写フィルム３１を剥がすと、透明のベースフィルム３３だけが剥がれて封印箔３０だけが基板ボックス１０の外壁に転写される。なお、この封印泊３０自体は、表面にインキで模様を塗布した薄いアクリル系のフィルムで構成されている。
【００１２】
ここにおいて、ベースフィルム３３は封印箔３０よりも一回り大きくなっている。この余白部分は転写のためにこすりつけた後、同ベースフィルム３３を剥がすときの耳になる。封印箔３０とベースフィルム３３が同じようなサイズであると、ベースフィルム３３を剥がすときに封印箔３０の角部も剥がれがちである。しかしながら、このように耳となる余白部分があるとベースフィルム３３だけを容易に剥がすことができるようになる。
【００１３】
この封印箔３０は箔状であるが故、一旦転写された後に剥がそうとすると図４に示すように破れ易い。従って、従来の封印紙のようにきれいに剥がして、再び貼り直すことは不可能になっている。また、当該封印箔３０により封印された後で開けた基板ボックス１０は、この封印箔３０が破れているため、一見して判別することができる。これにより基板ボックス１０内の制御基板の改造等の不正行為を取り締まることができる。
【００１４】
なお、基板ボックス１０の外壁には放熱孔２２を形成していない平坦面を残してあるため、この平坦面に封印箔３０を貼着することができて、貼着作業がやりやすくなるとともに、通常の扱いをしている限りは破れにくいようにすることができる。むろん、放熱孔２２のあいていない平坦面が必ずしも必要なわけではなく、このような封印箔３０を貼る場合においては孔が空いていない方が良い。また、封印するのは上ケース２０と下ケース２１との当接部分に限らず、開閉を妨げるのに必要な部分であればよい。
【００１５】
例えば、図５に示すように上ケース２０にはネジ止め凹部２０ａを形成しつつ、下ケース２１にはネジ止めボス２１ａを形成しておき、ネジ止め凹部２０ａにネジ２４を挿入してネジ止め固定する場合に、このネジ止め凹部２０ａを塞ぐように封印箔３０を貼付すれば、開閉を妨げることができる。
本実施形態においては、封印紙を遊技機の基板ボックスに適用しているが、かかる封印紙の適用対象としては、必ずしも遊技機の基板ボックスに限定されるものではない。例えば水道、電気のメータボックス等の他のケーシング、あるいは封筒等の紙製の容器類の開閉箇所の封印にも適用可能であるし、あるいは封印面を透視可能な封印紙であれば書類のサインや捺印部分を覆うような封印に適用することも可能である。また、本実施形態においては、通常の管理番号を印刷した封印２３と封印箔３０とを併用しており、より信頼性が向上している。これらを同時に貼付する必要はなく、ある段階で封印箔３０だけを貼付して一応の開封を防止しておき、組付やチェックなどを完全に終えた最終段階で封印２３を貼付するようにしてもよい。このようにすれば、途中の段階では封印２３を貼付していないので、製造段階で組付途中やチェック中に不良であったことが分かったときに修理や交換をしやすくなる。
【００１６】
転写する封印箔についても、本実施形態においては矩形状の封印箔３０を用いているが、少なくとも封印面に転写して封印することができる封印箔であれば良く、封印箔の形状等については特に限定されるものではない。例えば、封印箔が全体として何かのマークであっても良いし、図６に示すような文字列であっても構わない。
一方、図７に示すよう、封印箔３０に文字を抜いておくようにすると、剥がそうとしたときにより破れやすくなり、不正防止の確実性を向上させることができる。また、図８に示すように、上ケース２０と下ケース２１の合わせ目に跨る部分については破れ易すぎないように、文字抜きを止めておくようにしても良い。この場合、合わせ目全部に対応して文字抜きを止める必要はなく、合わせの一部分についてだけ文字抜きを止めても良い。また、合わせ目が複数部分にわたればそれに対応させればよいし、曲線となっていればそれに対応して文字抜きを止めておけばよい。さらに、文字抜きを止めるについても、例えば、図に示す楕円のマーク部分について文字抜きを止めれば同様の効果が得られる。もちろん、全てにわたって文字抜きをすることが望ましい。
【００１７】
また、本実施形態においては、封印箔３０は破れやすい性質としているが、少なくとも剥がした痕跡を何らかの形で残すことができるものであれば良く、適宜変更可能である。例えば、上述したように従来の封印紙では所定溶剤を適用しながら加熱するときれいに剥がせてしまうことがあったため、これにかんがみて所定溶剤に溶けやすい封印箔を用いたり、加熱により溶けてしまう封印箔を用いれば、溶剤を適用または、加熱された封印紙は溶けているので一見して判別可能であり、かつ、破れやすい性質のものであればより一層効果的である。
【００１８】
その他、封印箔を剥がそうとした痕跡を残す手法としては、図９及び図１０に示すように所定溶剤との接触、または加熱により崩壊するマイクロカプセル３２にインク３２ａを内包せしめ、このマイクロカプセル３２を封印箔３０に混入しておいてもよい。この場合、封印箔３０を剥がそうとして所定溶剤を適用、または加熱すると封印箔３０に混入されたマイクロカプセル３２が崩壊して内包するインク３２ａを漏出する。これにより封印箔３０は変色するため一見して不正行為を推認することができる。
【００１９】
ところで、封印箔３０は必ずしも封印紙の全面を構成する必要はなく、一部を別の膜で形成することもできる。図１１に示す実施例においては、透明なベースフィルム３３の裏面に楕円形の塗膜部３４を塗布し、この塗膜部３４に対応して楕円形に切り欠いた封印箔３０を粘着剤にて付着させ、最後に再び粘着剤を塗布してから台紙３５上に貼り付けてある。ここにおいて、封印箔３０をベースフィルム３３に付着せしめる粘着力（９０ｇ／２５ｍｍ程度）は最後に塗布される粘着剤の粘着力（３０００ｇ／２５ｍｍ程度）よりもはるかに小さく、台紙３５を剥がして張り付ければ表面のベースフィルム３３だけが剥離できることになる。
【００２０】
塗膜部３４には封印箔３０よりも強度を持たせておいてもよいし、その上から文字を書いたりできるようにしても良い。また、塗膜であるが故に溶剤に溶けやすく、不正に溶剤を塗布して剥がそうとすれば溶けてしまうので痕跡が残りやすい。さらには、別素材でできているので、不正に封印紙を複製しようとすることも難しくなる。
なお、ベースフィルム３３に対して封印箔３０を極めて弱い粘着剤で付着させているような場合、一旦、転写すると封印箔３０はベースフィルム３３に付着しにくくなる。従って、再度ベースフィルム３３を封印箔３０の上に被せて耳の部分で上ケース２０と下ケース２１に再付着させれば、ベースフィルム３３は保護膜となる。
【００２１】
図１３〜図１５は保護膜としての使用方法を示しており、ベースフィルム３３の耳のうち両側の二辺部分（図示斜線部分）の接着剤を再付着可能なものにしてある。図１４に示すように、転写後、一方の辺からベースフィルム３３を剥がし、転写されたことを確認してから、図１５に示すように再び貼り直す。剥がした辺の接着剤は再付着可能なため、封印箔３０の両側でベースフィルム３３は上ケース２０と下ケース２１に付着する。このようにすれば再度封印箔３０の上に被せるときに元の位置からズレず、きれいに貼り直すことができる。むろん、この場合に封印箔３０がベースフィルム３３に付着してしまうことはない。ベースフィルム３３を剥がすときに完全に剥がせないようにすることができる。
【００２２】
このようにして、保護膜は運送途中に封印箔３０が傷ついてしまったり、誤って剥がしてしまう事故を防ぐことができる。また、この保護膜は遊技機をホールなどに設置した後で剥がしても良いが、不慮の事故による破損を防止するために剥がさないでおくようにしてもよい。
このように、転写式の封印箔３０を用いることにより、一旦転写した後で剥がそうとすれば、破れるなどして剥がしたことを示す痕跡が確実に残ることになり、遊技機の基板ボックス１０などに適用した場合に制御基板の改造等の不正行為を確実に取り締まることができる。なお、遊技機の場合は、管理番号を付与するため、従来の封印と本発明の封印箔３０とを併用することが望ましい。
【図面の簡単な説明】
【図１】本発明の一実施形態にかかる封印紙を適用した基板ボックスの斜視図である。
【図２】転写フィルムを張り付けた状態の基板ボックス外壁の正面図である。
【図３】転写フィルムを剥がす過程を示す基板ボックス外壁の正面図である。
【図４】封印紙の一部が破れた状態を示す基板ボックス外壁の正面図である。
【図５】封印紙の貼付位置の変形例を示す基板ボックスの一部破断斜視図である。
【図６】変形例にかかる封印紙を適用した基板ボックス外壁の正面図である。
【図７】他の変形例にかかる封印紙の正面図である。
【図８】他の変形例にかかる封印紙の正面図である。
【図９】他の変形例にかかるマイクロカプセルを印刷した封印紙の正面図である。
【図１０】同マイクロカプセルの拡大断面図である。
【図１１】塗膜部を使用した変形例を示す封印紙の分解斜視図である。
【図１２】同封印紙の図１１におけるＡ−Ａ線矢視断面図である。
【図１３】保護膜としてベースフィルムを使用する場合の封印紙の正面図である。
【図１４】同封印紙を剥がした状態を示す平面図である。
【図１５】同封印紙を再び貼りなおした状態を示す平面図である。
【図１６】従来の封印紙を適用した基板ボックスの斜視図である。
【符号の説明】
１０…基板ボックス
２０…上ケース
２１…下ケース
３０…封印箔
３１…転写フィルム
【図１】
0004157171.tif 000002
【図２】
0004157171.tif 000003
【図３】
0004157171.tif 000004
【図４】
0004157171.tif 000005
【図５】
0004157171.tif 000006
【図６】
0004157171.tif 000007
【図７】
0004157171.tif 000008
【図８】
0004157171.tif 000009
【図９】
0004157171.tif 000010
【図１０】
0004157171.tif 000011
【図１１】
0004157171.tif 000012
【図１２】
0004157171.tif 000013
【図１３】
0004157171.tif 000014
【図１４】
0004157171.tif 000015
【図１５】
0004157171.tif 000016
【図１６】
0004157171.tif 000017